(57)【要約】    【課題】  膜天井の美観を向上させる。    【解決手段】  まず、構造物の基礎天井１１の下方に複数の当接部材２０を取付ける（図２（Ｂ））。当接部材２０は、椀状とされた当接部２３を備えている。次に、当接部２３と当接するようにして、当接部２３よりも上方にその端部が位置するようにして、水平な状態で膜材３０を張り渡す（図２（Ｃ））。膜材３０の当接部２３と当接している部分は下方に押し下げられる。これにより、膜材３０は、波打ったような状態となる。【選択図】    図２
2006299680.tif 000002
【特許請求の範囲】
【請求項１】
伸縮性のある膜材によって構成された膜天井であって、
前記膜材の背面側に、前記膜材の背面側の面に当接して前記膜材をその表面側に張出させる当接部を有する当接部材が配されており、
前記膜材の前記当接部材が当接した部分をその周囲の部分よりも前記膜材の表面側に押し下げることにより、前記膜材の表面側に凹凸が形成されるようになっている、
膜天井。
【請求項２】
前記当接部は、複数とされてなる、
請求項１記載の膜天井。
【請求項３】
前記当接部は、点状、線状、面状のいずれかの形状とされてなる、
請求項１又は２記載の膜天井。
【請求項４】
前記当接部は線状であり、且つその線状の当接部は、複数の棒状の部材のうちの２つの先端にその両端を接続された線状体によって形成されてなる、
請求項１記載の膜天井。
【請求項５】
伸縮性のある膜材によって構成された膜天井であって、
前記膜材の背面側に配される第１部材と、前記膜材の表面側に配されるものであり、前記膜材を前記第１部材と挟み込んだ状態で前記第１部材に固定される第２部材とを備えており、
前記膜材の前記第２部材と前記第１部材により挟まれた部分をその周囲の部分よりも前記膜材の背面側に押し上げることにより、前記膜材の表面側に凹凸が形成されるようになっている、
膜天井。
【請求項６】
前記第１部材と前記第２部材は、それぞれ同数の複数とされてなる、
請求項５記載の膜天井。
【請求項７】
前記膜材が透光性を有するものとされているとともに、
前記膜材の背面側に、前記膜材の背面側から前記膜材の表面側に前記膜材を透過して出る光を照射する光源が設けられている、
請求項１〜６のいずれかに記載の膜天井。
【請求項８】
前記膜材が透光性を有するものとされているとともに、
前記膜材の背面側に、前記膜材の背面側から前記膜材の表面側に前記膜材を透過して出る光を照射する光源が設けられており、
前記光源は、前記当接部材に設けられてなる、
請求項１〜４のいずれかに記載の膜天井。
【請求項９】
前記膜材が透光性を有するものとされているとともに、
前記当接部が、前記膜材の背面側から前記膜材の表面側に前記膜材を透過して出る光を照射する光源の一部とされてなる、
請求項１〜４のいずれかに記載の膜天井。
【請求項１０】
前記当接部材は筒状とされた筒部材を備えているとともに、前記当接部はその筒部材の先端とされ、
且つ前記筒部材の内部に光源が設けられてなる、
請求項８記載の膜天井。
【請求項１１】
前記膜材が透光性を有するものとされているとともに、
前記膜材の背面側に、前記膜材の背面側から前記膜材の表面側に前記膜材を透過して出る光を照射する光源が設けられており、
前記光源は、前記第１部材に設けられてなる、
請求項５又は６記載の膜天井。
【請求項１２】
前記第１部材は筒状とされた筒部材を備えているとともに、前記第２部材はこの筒部材に固定されるようになっており、
且つ、前記筒部材の内部に光源が設けられてなる、
請求項１１記載の膜天井。
【請求項１３】
前記筒部材の先端部分における前記膜材は、少なくとも当該筒部材の内部に設けられた前記光源が前記膜材の表面側に露出するようにして切取られているとともに、前記膜材の切取られた部分の周囲は前記筒部材の先端部分に固定されてなる、
請求項１０又は１２記載の膜天井。
【請求項１４】
前記筒部材は、透光性を有するものとされてなる、
請求項１０又は１２記載の膜天井。
【請求項１５】
前記膜材は、その全体にテンションがかかっている、
請求項１〜１４のいずれかに記載の膜天井。
【請求項１６】
前記光源から出た光が前記膜材の背面側につくる影を抑制するための光を射出する補助光源が、前記膜材の背面側に設けられてなる、
請求項７〜１４のいずれかに記載の膜天井。
【請求項１７】
基礎天井の下側に伸縮性のある膜材を張り渡すことにより、膜天井を構築する膜天井の構築方法であって、
前記基礎天井に、当接部を有する当接部材を配し、
前記膜材を、その背面側の面を前記当接部に当接させることで前記当接部が当接した部分をその周囲の部分よりも前記膜材の表面側に押し下げるようにしながら、張り渡すことにより、前記膜材の表面側に凹凸が形成されるようにする、
膜天井の構築方法。
【請求項１８】
基礎天井の下側に伸縮性のある膜材を張り渡すことにより、膜天井を構築する膜天井の構築方法であって、
前記基礎天井に、第１部材を配し、
前記膜材を、前記第１部材の下方に張り渡し、
第２部材を、前記膜材を前記第１部材と挟み込んだ状態で前記第１部材に固定することで、前記膜材の前記第２部材と前記第１部材により挟まれた部分をその周囲の部分よりも前記膜材の背面側に押し上げることにより、前記膜材の表面側に凹凸が形成されるようにする、
膜天井の構築方法。
【発明の詳細な説明】
【技術分野】
【０００１】
本発明は、膜材によって形成された膜天井を構築するための技術に関する。
【背景技術】
【０００２】
構造物の天井は、一般的に、構造物の基礎天井の下側に吊下げられた野縁に板状の天井パネルを隣接して固定することによって作られる。
他方、膜材を基礎天井の下側に張り渡すことによって構築される膜天井も、近年は増加しつつある。膜天井は、その柔らかな質感や、透光性を有する膜材を用いることによる明るいイメージなどから、美観に優れている。
【０００３】
膜天井のこの美観に優れているという利点をより強調すべく、本願発明者は研究を重ねた。
その結果、本願発明者が想到したのが以下の発明である。
【発明の開示】
【発明が解決しようとする課題】
【０００４】
本発明は、より美観に優れた膜天井を提供することをその課題とする。
【課題を解決するための手段】
【０００５】
本願発明者は、一般的な天井パネルと異なり、柔軟性があることから事後的な変形が容易であるという膜天井を構成する膜材の性質に目を付けた。
つまり、膜天井を構成する膜材は一般に、従来の天井がそうであったように水平に、又は水平でないにしても平面状に張られるのが通常である。しかしながら、特に伸縮性を有する膜材を用いた場合には、単に弛ませて膜材を張るばかりではなく、例えばテンションをかけた状態でも、膜材の表面側が凹凸を有するようにしながら膜材を張ることができる。その表面側が凹凸を有する膜材によって構成された膜天井は、従来の膜天井にはない新しい美観を提供できる。
以下に説明する本願発明は、その表面側が凹凸を有する膜材によって構成された膜天井、及びその構築方法に関するものである。
なお、本願発明は第１発明と第２発明とに大別される。以下、第１発明と第２発明について順に説明する。
【０００６】
第１発明は、伸縮性のある膜材によって構成された膜天井である。そして、この膜天井では、前記膜材の背面側に、前記膜材の背面側の面に当接して前記膜材をその表面側に張出させる当接部を有する当接部材が配されており、前記膜材の前記当接部材が当接した部分をその周囲の部分よりも前記膜材の表面側に押し下げることにより、前記膜材の表面側に凹凸が形成されるようになっている。
このような膜天井は、その凹凸により、従来の膜天井にはない新しい美観を提供できる。この凹凸は、例えば、膜天井の一断面について見た場合には、カテナリー曲線状のカーブを描く。これにより、第１発明に係る膜天井の表側面は、非常に美しい曲面を有するものとなる。
なお、第１発明における膜材は、当接部材がない状態で平面状（水平を含む）となるように張られてもよいが、必ずしもそのように張られていなくてもよい。
なお、本願において、『膜材の背面側』とは、膜材を挟んで室内側と反対側を意味する。これは、通常は、膜材と基礎天井の間の空間を意味することになる。また、本願において、『膜材の表面側』とは、膜材の室内側を意味する。
【０００７】
上述の当接部は少なくとも一つあれば足りるが、複数とすることもできる。当接部が複数あれば、膜材の表面側に形成される凹凸が複数になるので、膜天井が持つ美観がより美しいものとなる。
当接部は、一つの当接部材に一つでも、一つの当接部材に複数あってもよい。
また、少なくとも一つの当接部を持つ当接部材を、膜材の背面側に複数配することとしてもよい。
【０００８】
第１発明の当接部材が有する前記当接部は、点状、線状、面状のいずれの形状とされていてもよい。
当接部が複数存在する場合には、各当接部が、異なる形状とされていても構わない。
前記当接部が線状である場合には、形状が線状とされたその当接部は、複数の棒状の部材のうちの２つの先端にその両端を接続された線状体によって形成されていてもよい。この場合、線状体の長さは、棒状の部材のうちの２つの先端を結ぶ長さよりも長くされていてもよい。このようにすると、線状体は、それが結ぶ２つの棒状の部材の間で弛むことになり、それが膜材の背側面に当接することによって作られる膜材の表面側の形状が美しいものとなる。
また、前記当接部材は筒状とされた筒部材を備えているとともに、前記当接部をその筒部材の先端とすることができる。この場合、筒部材の先端の円形の部分を当接部とすることもできる。また、筒部材の先端にその筒部材の先端の内側を覆うカバーを設けることも可能である。
【０００９】
第２発明は、伸縮性のある膜材によって構成された膜天井である。そして、この膜天井は、前記膜材の背面側に配される第１部材と、前記膜材の表面側に配されるものであり、前記膜材を前記第１部材と挟み込んだ状態で前記第１部材に固定される第２部材とを備えており、前記膜材の前記第２部材と前記第１部材により挟まれた部分をその周囲の部分よりも前記膜材の背面側に押し上げることにより、前記膜材の表面側に凹凸が形成されるようになっている。
第２発明による膜天井も、第１発明の場合と同様に、膜天井の表側面が、非常に美しい曲面を有するものとなる。
なお、第２発明における膜材は、第２部材を用いての上述の膜材の押し上げが行われていない状態で平面状（水平を含む。）となるように張られてもよいが、必ずしもそのように張られていなくてもよい。
【００１０】
前記第１部材と前記第２部材は、一つずつでもよいが、それぞれ同数の複数とされていてもよい。この場合、第１部材と第２部材は、対応するもの同士が固定される。第１部材と第２部材が複数ずつとされれば、膜材の表面側に形成される凹凸が複数になるので、膜天井が持つ美観がより美しいものとなる。
【００１１】
本願発明において、膜材は、伸縮性を有するものとされる。膜材についてそれ以外の制限は基本的にない。膜材は、透光性を有するものであっても、透光性を有しないものであってもよい。
透光性を有する膜材を用いた場合、第１発明、第２発明の場合ともに、膜材の背面側に、前記膜材の背面側から前記膜材の表面側に前記膜材を透過して出る光を照射する光源が設けられていてもよい。このようにすると、膜天井による間接照明効果を生じさせられるようになるので、本願発明における膜天井が有する凹凸と相俟って、本願発明の生じる美観がより大きくなる。
本願発明において、前記膜材は、その一部が弛んでいてもよいが、その全体にテンションがかかっていてもよい。例えば、テンションのかかっていない状態の膜材の面積、形状を、最終的に作られる膜天井の面積、形状と、一致させるかそれよりも一回り小さくしておくことで、張り渡された膜材の全体にテンションをかけることができる。
【００１２】
本願発明では、透光性を有する膜材を用いた場合、上述したとおり、膜材の背面側に、前記膜材の背面側から前記膜材の表面側に前記膜材を透過して出る光を照射する光源が設けられていてもよい。
光源は、膜材の背面側であればどこに設けられていてもよいが、第１発明の場合であれば、当接部材に設けられていてもよい。この場合、光源は、当接部材の適当な部分に設けることができる。また、前記当接部を、前記膜材の背面側から前記膜材の表面側に前記膜材を透過して出る光を照射する光源の一部としてもよい。例えば、電球や、ＬＥＤ、蛍光灯などの光源自体を膜材に当接させることで、当接部を光源の一部とすることができる。或いは、当接部材が上述の如き筒部材を備えるのであれば、光源は、前記筒部材の内部に設けられていてもよい。この場合、前記筒部材は、透光性を有するものとされていてもよい。例えば、筒部材は、透光性を有する透明、或いは半透明な素材で形成されていてもよいし、網状ないしメッシュ状などの光を通過させる孔を有する素材で形成されていてもよい。
第２発明の場合も、光源は膜材の背面側であればどこに設けられていてもよいが、第１部材に光源を設けることができる。なお、前記第１部材は筒状とされた筒部材を備えている場合がある。この場合には、この筒部材の内部に光源が設けられていてもよい。なお、第１部材が筒部材を有する場合には、前記第２部材はこの筒部材に固定されるようにすることができる。第２発明における筒部材は、第１発明の場合と同様に透光性を有するものとされていてもよい。
【００１３】
第１発明、第２発明の双方に共通するが、筒部材が存在する場合、前記筒部材の先端部分における前記膜材は、少なくとも当該筒部材の内部に設けられた前記光源が前記膜材の表面側に露出するようにして切取られていてもよい。この場合、前記膜材の切取られた部分の周囲は前記筒部材の先端部分に固定されていてもよい。このようにすることで、光源の交換などの光源のメンテナンスを行い易くなる。
なお、この場合において、膜材の切取られた部分の周囲は、筒部材の先端部分の全周に固定されていることを必ずしも必要としない。
なお、上述のように膜材を切取った場合における、切取られた膜材が存在した部分に、例えば透光性のある材料によって形成された蓋ないしカバーが設けられていてもよい。
【００１４】
本願発明における膜天井は、前記光源から出た光が前記膜材の背面側につくる影（第１発明の場合であれば、光源から出た光が当接部材などに遮られて膜材の背面側に作る影、第２発明の場合であれば、光源から出た光が第１部材などに遮られて膜材の背面側に作る影）を抑制するための光を射出する補助光源を有していてもよい。これにより、膜材の表面側から膜材を見る者に、第１発明の場合であれば膜材の背面側にある当接部材の存在を予感させるような影を減らせることになり、第２発明の場合であれば膜材の背面側にある第１部材の存在を予感させるような影を減らせることになるので、第１発明、第２発明により得られる膜天井の美観がより良くなる。この場合、補助光源は、前記膜材の背面側に設けられてなる。例えば、補助光源は、膜材の背面側における膜材の周辺部分、或いはその近辺に設けることが可能である。
また、補助光源は、複数であっても構わない。
【００１５】
第１発明の膜天井は、例えば以下の方法により構築できる。
その方法は、基礎天井の下側に伸縮性のある膜材を張り渡すことにより、膜天井を構築する膜天井の構築方法である。この方法では、まず、前記基礎天井に、当接部を有する当接部材を配し、前記膜材を、その背面側の面を前記当接部に当接させることで前記当接部が当接した部分をその周囲の部分よりも前記膜材の表面側に押し下げるようにしながら、張り渡すことにより、前記膜材の表面側に凹凸が形成されるようにする。
第２発明の膜天井は、例えば以下の方法により構築できる。
その方法は、基礎天井の下側に伸縮性のある膜材を張り渡すことにより、膜天井を構築する膜天井の構築方法である。この方法では、まず、前記基礎天井に、第１部材を配し、前記膜材を、前記第１部材の下方に張り渡し、第２部材を、前記膜材を前記第１部材と挟み込んだ状態で前記第１部材に固定することで、前記膜材の前記第２部材と前記第１部材により挟まれた部分をその周囲の部分よりも前記膜材の背面側に押し上げることにより、前記膜材の表面側に凹凸が形成されるようにする。
【００１６】
なお、第１発明と第２発明は組合わせることが可能である。
膜材と、上述した当接部材と、第１部材及び第２部材を組合わせることで、様々な凹凸を有する表情豊かな膜天井を形成できる。
【発明を実施するための最良の形態】
【００１７】
以下、本発明の好ましい第１〜第３実施形態を、図面を参照しながら詳細に説明する。第１実施形態、第２実施形態は本願による第１発明の実施形態に相当するものであり、第３実施形態は本願による第２発明の実施形態に相当するものである。
なお、各実施形態の説明では、同一の対象については同一の符号を付すこととする。また、各実施形態の説明では、共通する説明については省略する場合がある。
【００１８】
≪第１実施形態≫
この実施形態では、図１に示したような構造物１０の基礎天井１１の下方に、基礎天井１１の全面を覆うような膜天井を構築するものとする。この実施形態における構造物１０は、必ずしもそうである必要はないが、建築物の一室となっている。
【００１９】
膜天井をどのように構築するかについて、図２を参照して説明する。
図２（Ａ）に基礎天井１１の一部を示す。
膜天井を構築するにあたっては、基礎天井１１に、まず、当接部材２０を取付ける（図２（Ｂ））。なお、この実施形態では、複数の当接部材２０を基礎天井１１に取付けることとしている。
第１実施形態における当接部材２０は、この実施形態では円形とされた板状の固定板２１と、この実施形態では固定板２１に垂直となるように固定板２１に接続された支柱２２と、支柱２２の先端に設けられた当接部２３とを備えてなる。この実施形態における当接部２３は、一つの固定板２１に一つであるが、図３に示したように、一つの固定板２１に複数の当接部２３が設けられていてもよい。
当接部材２０は、固定板２１を、接着、ビス止めなどの適当な方法で、基礎天井１１に固定することにより、基礎天井１１に固定される。
この実施形態では、各当接部材２０の当接部２３が、同じ水平面上に位置するようにされている。もっとも、各当接部２３は、同じ水平面上に位置する必要はなく、段差が設けられるようになっていてもよい。ただし、その場合でも、各当接部材２０の当接部２３は、後に配される膜材の背面側の面に当接するような位置に位置するようにされる。
当接部２３は、この実施形態では、椀状に成形されている。後に設置される膜材の背面側の面は、当接部２３と面接触することになる。もっとも、当接部２３は、必ずしもこのように成形されている必要はなく、例えば、図４（Ａ）に示した円板状を始めとする平板状にすることができる。この場合、後に設置される膜材の背面側の面は、当接部２３と面接触する。当接部２３は、また、図４（Ｂ）に示したような円錐状を始めとする錐体状とすることができる。この場合、後に設置される膜材の背面側の面は、当接部２３と点接触することになる。なお、図２（Ｂ）に示した当接部材２０における当接部２３を取去り、支柱２２の下端を当接部とすることも可能である。
【００２０】
次に、膜材３０の端部を、構造物１０の４つの壁面に固定する（図２（Ｃ））。これにより、膜天井が完成する。
膜材３０は、例えば、所定の固定材３１に固定することで、４つの壁面のそれぞれに固定される。固定材３１は、この実施形態では、膜材３０の端部を挟み込んで固定する手段（図示を省略する。）を備えており、各壁面の幅に相当する長さを有し、予め各壁面に固定されている。もっとも、膜材３０の壁面への固定は他の手法で行われてもよい。例えば、膜材３０の端部を壁面にビス止めするなどして、膜材３０を４つの壁面のそれぞれに固定することができる。
この実施形態における膜材３０は、基礎天井１１の大きさ、形状に対応した矩形とされている。もっとも、膜材３０は、膜天井形成時にその全体にテンションがかかるような適当な形状にしておけばよい。
また、この実施形態で使用される膜材３０は、伸縮性を有するものとされている。この実施形態における膜材３０は、必ずしもこの限りではないがポリエステル製であり、また、編布である。ただし、膜材３０は、織布であってもよい。なお、膜材３０の伸び率は、２０〜３０％程度とするのが望ましい。また、この実施形態で使用される膜材３０は、必ずしもそうである必要はないが透光性を有するものとされている。
膜材３０は、必ずしもそうする必要はないが、この実施形態では水平に取付けられる。膜材３０が４つの壁面のそれぞれに固定される垂直位置は、先に配された各当接部材２０の各当接部２３が位置する水平面よりも基礎天井１１寄りとされる。
したがって、張り渡された膜材３０の背面側の面は、各当接部２３と当接することになる。これにより、膜材３０の当接部２３と当接している部分の表面側の面は、その周囲よりも下方向に突出することになり、膜材３０は、全体として見れば、波打っている、或いは凹凸を有している状態となる。また、この実施形態では、膜材３０は、その全体に、所定の張力が与えられた状態となる。
膜材３０を下方から見た状態を図５に示す。なお、図中点線で示されている丸印は、膜材３０の背面側に当接部２３が存在している部分を示す。
【００２１】
なお、膜材３０の取付けを行う前に、基礎天井１１に照明器具を取付けることができる。この照明器具は、蛍光灯、電球など、適当なものを選択することができる。これは、以下に説明する変形例１、２、第２、第３実施形態でも同様である。
【００２２】
＜変形例１＞
第１実施形態の変形例である変形例１について説明する。
この変形例１が、第１実施形態と異なるのは、当接部材２０の当接部２３が、膜材３０の背面側の面と線接触を行うようになっている点である。
その他の点では、変形例１と上述した第１実施形態とでは変わりはない。
この変形例で用いる当接部材２０の例を、図６に示す。
図６（Ａ）に示した当接部材２０は、２つの板状の固定板２１と、固定板２１のそれぞれに接続された２本の支柱２２と、その２本の支柱２２の両端にわたされた断面円形の棒状体とされた当接部２３を備えている。なお、２つの固定板２１は、一連とされていても構わない。
図６（Ｂ）に示した当接部材２０は、２つの板状の固定板２１と、固定板２１のそれぞれに接続された２本の支柱２２と、その２本の支柱２２の両端を結ぶ線状体である当接部２３を備えている。線状体は、例えば、ワイヤである。この当接部２３を構成する線状体は、２本の支柱２２の先端を結ぶ長さと略一致するようになっている。なお、２つの固定板２１は、一連とされていても構わない。
図６（Ｃ）に示した当接部材２０は、図６（Ｂ）に示した当接部材２０と同様に、２つの固定板２１と、２本の支柱２２と、線状体である当接部２３とを備えている。線状体は、例えば、ワイヤである。この当接部２３を構成する線状体は、２本の支柱２２の先端を結ぶ長さよりも長くされている。つまり、当接部２３を構成する線状体は、膜材３０が配されるまでは、図６（Ｃ）で実線で示したように、下方に垂下がった状態となっている。
図６に示した上述の当接部材２０は、第１実施形態で用いられた当接部材２０と同様に、基礎天井１１に所定の数だけ取付けて用いられる。
各当接部材２０における当接部２３は、その後に配された膜材３０の背面側の面に当接して、当接部２３と当接した部分の膜材３０を膜材３０の他の部分よりも下方に押出す。
なお、図６（Ｃ）で示した当接部２３は、膜材３０が配されると、その膜材３０の張力に押されて、同図中の２点鎖線で示されたように、支柱２２の下端よりも上側に移動する。図６（Ｃ）に示した如き当接部材２０を用いた場合には、このような形状となった当接部２３により、膜材３０の表面側には、アーチ型の形状が形成されることとなる。
【００２３】
≪第２実施形態≫
第２実施形態では、第１実施形態と同様に、図１に示した構造物１０の基礎天井１１の下方に、基礎天井１１の全面を覆うような膜天井を構築する。
【００２４】
第２実施形態で膜天井をどのように構築するかについて、図７を参照して説明する。
図７（Ａ）に基礎天井１１の一部を示す。
膜天井を構築するにあたっては、基礎天井１１に、補助光源部４０を設ける（図７（Ｂ））。補助光源部４０は、この実施形態では、構造物１０の４つの壁面に沿うようにして設けられる。補助光源部４０には、補助光源４１と、反射ミラー４２が含まれている。また、補助光源部４０には、カバー体４３と、開閉蓋４４が設けられている。カバー体４３の先端には、固定材３１が設けられている。
この実施形態における補助光源４１は、所定の長さの蛍光灯であり、その長さ方向が壁面に沿うようにして配されている。補助光源４１は、図示せぬスイッチによって、構造物１０の室内にいる者が点灯又は消灯させられるようになっている。反射ミラー４２は、補助光源４１からの光を、後に配される膜材と基礎天井１１の背面側の空間に導くようなものとされている。補助光源４１から出た光は、直接、或いは反射ミラー４２で反射された後、そのまま、或いは、基礎天井１１で反射されてから、膜材の背面側の面に導かれる。補助光源４１からの光は、後述する光源２５からの光が当接部材２０に当たることによってできる膜材の背面側の面にできる影を抑制する。
カバー体４３は、補助光源４１と反射ミラー４２を隠すものである。カバー体４３は、壁面に沿うようにして設けられている。なお、カバー体４３には孔４３Ａが設けられている。開閉蓋４４は、カバー体４３に設けられた孔４３Ａを開閉自在に塞ぐものである。開閉蓋４４は、カバー体４３に対して着脱できるようになっていてもよいし、カバー体４３に対してスライドできるようになっていてもよい。いずれにせよ、開閉蓋４４を操作することで、上述の孔４３Ａが開放できるようになっている。開閉蓋４４を操作して開放された孔４３Ａは、補助光源４１の交換などのメンテナンスの際に用いられる。
固定材３１は第１実施形態で説明したものと同様である。固定材３１は、カバー体４３の先端部分に沿って設けられている。
【００２５】
次に、基礎天井１１に当接部材２０を取付ける（図７（Ｃ））。この実施形態では、複数の当接部材２０を基礎天井１１の適当な位置に取付けることとしている。
第２実施形態における当接部材２０は、円形、板状とされた固定板２１を備えているとともに、この実施形態では固定板２１に垂直となるように固定された筒状とされた筒部材２４を備えている。この実施形態では、筒部材２４は、円筒形とされている。また、この実施形態では、筒部材２４は透光性を備えるものとされている。この実施形態では、筒部材２４は、透明な材料、例えばアクリルで作られており、それにより透光性を備えるものとされている。もっとも、筒部材２４を作る材料が透明でないものであったとしても、それを網状、メッシュ状等に成形することにより、筒部材２４に透光性を与えることが可能である。
筒部材２４の内部には、棒状の支持体２５Ａの先端に取付けられた光源２５が配されている。この光源２５は、この実施形態では白熱灯であり、図示せぬスイッチによって、構造物１０の室内にいる者が点灯又は消灯させられるようになっている。なお、この光源２５は、上述の補助光源４１とともに点灯或いは消灯するようになっていても構わない。
必ずしも必要ではないが、この実施形態では、筒部材２４の先端には、透明な材料で形成された円板状の蓋２６が取付けられている。
光源２５から出た光は、蓋２６を通過して、或いは筒部材２４を通過して後に設置される膜材に至り、膜材を背面側から表面側に向けて透過する。
なお、この実施形態では、各当接部材２０の筒部材２４の先端が、同一水平面上に位置するようにされる。
【００２６】
次に、膜材３０の端部を、構造物１０の４つの壁面に固定する（図７（Ｄ））。これにより、膜天井が完成する。
使用する膜材３０、膜材３０の壁面への固定の仕方は、第１実施形態の場合と同様に行えばよい。膜材３０の端部は、先に配された各筒部材２４の先端が位置する水平面よりも基礎天井１１寄りになるようにして各壁面に取付けられる。
これにより得られた膜天井は、全体として見れば、波打っている、或いは凹凸を有している状態となる。また、この膜天井を作る膜材３０の全体には所定の張力がかかった状態となる。
なお、この実施形態では、上述の筒部材２４をなくして、剥き出しにした光源２５を当接部として用いることも可能である。その場合、光源２５の下端が、固定材３１よりも下方に位置するようにするなどして、光源２５と膜材３０とが当接するようにする。
また、第２実施形態における補助光源部４０は、第１実施形態にも応用することが可能である。
【００２７】
＜変形例２＞
第２実施形態の一変形例を、変形例２として説明する。
変形例２では、基本的に第２実施形態と同様の行程を実行することにより、膜天井を形成する。
上述の第２実施形態における膜材３０は、４つの壁面としか固定されていなかった。他方、この変形例２では、膜材３０は、筒部材２４の先端部分とも固定される。
変形例２で用いる筒部材２４の先端面には、その先端面を一周するようにされた溝２４Ａが切られている。また、変形例２では、蓋２６を用いず、その代わりに、筒部材２４の先端面と対応するリング状に形成されたリング部材２７を用いることとしている。リング部材２７は、筒部材２４の先端面と対向させられる側の面に、筒部材２４の溝２４Ａに嵌め込むことのできる形状とされた係合板２７Ａを備えている。係合板２７Ａは、必ずしもそうである必要はないが、この実施形態では、リング状とされたリング部材２７を一周するような一連のものとされている。
変形例２では、次のようにして、膜材３０と筒部材２４を固定する。
まず、第２実施形態の場合と同様の過程を実行することにより、基礎天井１１に当接部材２０を取付ける。
次に、膜材３０の端部を、固定材３１に固定する。
次に、リング部材２７を、その係合板２７Ａを、膜材３０ごと筒部材２４の溝２４Ａに挿入することにより、筒部材２４に固定する。この状態の断面図を、図８（Ａ）に示す。
そして、最後に、リング部材２７の内側の孔から覗いている膜材３０を切除する。この膜材３０の切除は、例えば、リング部材２７の孔の側面にカッターなどの刃物の側面を当てて、その状態で刃物を孔の側面に沿って一周させることによって簡単に行うことができる。リング部材２７の内側の孔から覗いている膜材３０を切除した状態を図８（Ｂ）に示す。
このような膜天井であれば、筒部材２４の中の光源２５が室内側の空間に対して露出しているため、光源２５のメンテナンスを簡単に行うことができる。
なお、筒部材２４の先端に、筒部材２４に対して取り外し可能とした第２実施形態のものと同様の蓋２６を取付けることも可能である。
【００２８】
なお、筒部材２４と、リング部材２７は、図９に示したようなものに置き換えることができる。
この筒部材２４は、その内側面の全周に沿って、上方向に傾斜した多数の歯２４Ｂを備えている。他方、リング部材２７は、その内側部分が筒部材２４の内側面に嵌りこむように折り曲げられているとともに、その外側面の全周に沿って、上方向に傾斜した多数の歯２７Ｂを備えている。
このリング部材２７は、図９（Ａ）に示したように、その歯２７Ｂと、筒部材２４の歯２４Ｂとを対向させた状態で、その折り曲げられた部分を筒部材２４の内側面に膜材３０ごとはめ込むことにより、筒部材２４に固定される。
このリング部材２７でも、筒部材２４に取付けられたリング部材２７の内側の孔から覗いている膜材３０を上述の場合と同様に切除できる。リング部材２７の内側の孔から覗いている膜材３０を切除した状態を図９（Ｂ）に示す。
【００２９】
≪第３実施形態≫
第３実施形態では、第１実施形態、第２実施形態と同様に、図１に示した構造物１０の基礎天井１１の下方に、基礎天井１１の全面を覆うような膜天井を構築する。
【００３０】
第３実施形態で膜天井をどのように構築するかについて、図１０を参照して説明する。
図１０（Ａ）に基礎天井１１の一部を示す。
膜天井を構築するにあたっては、基礎天井１１に、補助光源部４０を設ける（図１０（Ｂ））。補助光源部４０は、第２実施形態で説明したものと同様である。補助光源部４０は、補助光源４１と、反射ミラー４２と、カバー体４３と、開閉蓋４４が設けられており、カバー体４３の先端には、固定材３１が設けられている。
【００３１】
次に、基礎天井１１に第１部材５０を取付ける（図１０（Ｃ））。この実施形態では、複数の第１部材５０を基礎天井１１の適当な位置に取付けることとしている。
第３実施形態における第１部材５０は、第２実施形態の変形例である変形例２における当接部材２０と略同様の構成とされている。
第１部材５０は、円形、板状とされた固定板５１を備えているとともに、この実施形態では固定板５１に垂直となるように固定された筒状とされた筒部材５４を備えている。この実施形態では、筒部材５４は、円筒形とされている。この筒部材５４は、第２実施形態の筒部材２４と同様に透光性を備えるものとされている。
筒部材５４の内部には、棒状の支持体５５Ａの先端に取付けられた光源５５が配されている。この光源５５は、この実施形態では白熱灯であり、図示せぬスイッチによって、構造物１０の室内にいる者が点灯又は消灯させられるようになっている。なお、この光源５５は、上述の補助光源４１とともに点灯或いは消灯するようになっていても構わない。なお、第３実施形態の第１部材５０は、光源５５を必ずしも備えていなくてもよい。
筒部材５４の先端面には、図示を省略するが、図８に示したのと同様の溝がその先端面を一周するようにして切られている。なお、各筒部材５４の先端は、同一水平面上に位置するようにされる。
【００３２】
次に、膜材３０の端部を、固定材３１に固定する（図１０（Ｄ））。膜材３０はこの実施形態では水平に張られるが、膜材３０は、この実施形態では、各筒部材５４の先端が含まれる上述の水平面よりも下方に張られる。
なお、この膜材３０は、第２実施形態で使用した膜材３０と同様である。
【００３３】
次に、第２部材６０を第１部材５０に固定する（図１０（Ｅ））。この第２部材６０は、第２実施形態の変形例である変形例２におけるリング部材２７と同様の構成とされており、係合板を備えている。第２部材６０は、変形例２におけるリング部材２７と同様に、その係合板を筒部材５４の先端面に切られた溝に膜材３０ごと挿入することにより、筒部材５４に固定される。
これにより、第３実施形態による膜天井が完成する。
このとき膜材３０は、第１部材５０と第２部材６０により挟み込まれた部分が、他の部分よりも基礎天井１１寄りに移動することになる。これにより、膜材３０は、全体として見れば、波打っている、或いは凹凸を有している状態となる。また、第３実施形態では、膜材３０は、その全体に、所定の張力が与えられた状態となる。
【００３４】
なお、第３実施形態でも、第２実施形態の場合と同様に、第２部材６０の内側の孔から覗いている膜材３０を切除できる。
【図面の簡単な説明】
【００３５】
【図１】本発明の第１実施形態の方法により膜天井が構築される構造物の構成を概略で示す側断面図。
【図２】本発明の第１実施形態の方法の流れを説明するための図。
【図３】図２に示した当接部材の変形例を示す図。
【図４】図２に示した当接部の変形例を示す図。
【図５】本発明の第１実施形態の膜天井の構築方法によって構築された膜天井を下方から見たところを示す図。
【図６】変形例１で用いられる当接部材の例を示す図。
【図７】本発明の第２実施形態の方法の流れを説明するための図。
【図８】変形例２で用いられる当接部材の使用状態を示す図。
【図９】変形例２で用いられる他の当接部材の使用状態を示す図。
【図１０】本発明の第３実施形態の方法の流れを説明するための図。
【符号の説明】
【００３６】
１０  構造物
１１  基礎天井
２０  当接部材
２３  当接部
２４  筒部材
２５  光源
２６  蓋
２７  リング部材
３０  膜材
４０  補助光源部
【図１】
2006299680.tif 000003
【図２】
2006299680.tif 000004
【図３】
2006299680.tif 000005
【図４】
2006299680.tif 000006
【図５】
2006299680.tif 000007
【図６】
2006299680.tif 000008
【図７】
2006299680.tif 000009
【図８】
2006299680.tif 000010
【図９】
2006299680.tif 000011
【図１０】
2006299680.tif 000012